(57)【要約】【課題】種々の翼車特性に対して定格出力以下の流速から定格出力を超える流速まで統一的に制御する。【解決手段】翼車１と励磁電流の値によって逆トルクの値が定まる発電機３とを備える流体発電システムの制御方法において、翼車トルク・回転速度関数群から現時点の流速に合致する翼車トルク・回転速度関数求め、出力が最大となる第１回転速度とそのときの最大出力値を求める。最大出力値が定格出力値以下の場合は、目標回転速度を第１回転速度とし、目標トルクを最大出力値を目標回転速度で除した値とする。定格出力値を超える場合は、出力が定格出力値となる第２の回転速度を求めて目標回転速度を第２の回転速度とし、目標トルクを定格出力値を目標回転速度で除した値とする。目標回転速度と目標トルクとから目標誘起電圧定数を求め、誘起電圧定数・励磁電流関数を用いて求めた目標励磁電流を励磁巻線に印加して発電機に目標逆トルクを発生させる。【選択図】図１
2019193489.tif 000002
【特許請求の範囲】
【請求項１】
流体によって回転する翼車と前記翼車に軸が連結されて励磁巻線に印加する励磁電流の値によって逆トルクの値が定まる発電機とを備えて前記発電機の発電電力を負荷に供給する流体発電システムの制御方法において、
前記流体の流速および前記翼車の回転速度から前記翼車の翼車トルクを求める翼車トルク・回転速度関数群を用いて現時点の流速に合致する翼車トルク・回転速度関数求める第１ステップと、
前記翼車トルク・回転速度関数を用いて前記翼車の出力が最大となる第１回転速度とそのときの最大出力値を求める第２ステップと、
前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、
前記目標回転速度と前記目標トルクとから目標誘起電圧定数を求める第４ステップと、
前記発電機の誘起電圧定数と前記励磁電流の関係を示す誘起電圧定数・励磁電流関数を用いて前記目標誘起電圧定数に対応する目標励磁電流を求める第５ステップと、
前記目標励磁電流を前記励磁巻線に印加して前記発電機に目標逆トルクを発生させるプロセスと、
を有することを特徴とする流体発電システムの制御方法。
【請求項２】
前記第４ステップは、現時点の回転速度および現時点の電機子電流の値も用いて前記目標誘起電圧定数を求めることを特徴とする請求項１に記載の流体発電システムの制御方法。
【請求項３】
前記第３ステップは、前記第２の回転速度の解が複数存在する場合には、より安定性の高い解を選択するステップを含むことを特徴とする請求項１に記載の流体発電システムの制御方法。
【請求項４】
前記第３ステップは、前記第２の回転速度の解が複数存在する場合には、前記翼車の性能および前記発電機の性能に基づいて一つの解を選択するステップを含むことを特徴とする請求項１に記載の流体発電システムの制御方法。
【請求項５】
前記第１ステップは、前記発電機の現時点の回転速度から求めた現時点の逆トルクと現時点の回転速度との組み合わせに合致するように前記翼車トルク・回転速度関数を求めるステップを含むことを特徴とする請求項１に記載の流体発電システムの制御方法。
【請求項６】
前記第１ステップは、前記発電機の現時点の電機子電流から求めた現時点の逆トルクと現時点の回転速度との組み合わせに合致するように前記翼車トルク・回転速度関数を求めるステップを含むことを特徴とする請求項１に記載の流体発電システムの制御方法。
【請求項７】
前記翼車トルク・回転速度関数は、前記翼車のトルクが回転速度に比例する直線で近似されたものであることを特徴とする請求項１に記載の流体発電システムの制御方法。
【請求項８】
流体によって発電して発電電力を負荷に供給する流体発電システムにおいて、
流体によって回転する翼車と、
前記翼車に軸が連結されて励磁巻線に印加する励磁電流の値によって逆トルクの値が定まる発電機と、
前記流体の流速および前記翼車の回転速度から前記翼車の翼車トルクを求める翼車トルク・回転速度関数群を用いて現時点の流速に合致する翼車トルク・回転速度関数を求める第１ステップと、前記翼車トルク・回転速度関数を用いて前記翼車の出力が最大となる第１回転速度とそのときの最大出力値を求める第２ステップと、前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、前記目標回転速度と前記目標トルクとから目標誘起電圧定数を求める第４ステップと、前記発電機の誘起電圧定数と前記励磁電流の関係を示す誘起電圧定数・励磁電流関数を用いて前記目標誘起電圧定数に対応する目標励磁電流を求める第５ステップと、前記目標励磁電流を前記励磁巻線に印加して前記発電機に目標逆トルクを発生させるプロセスと、を行う制御装置と、
を有することを特徴とする流体発電システム。
【請求項９】
流体によって回転する翼車と、前記翼車に軸が連結されて励磁巻線に印加する励磁電流の値によって逆トルクの値が定まる発電機と、を備えて発電電力を負荷に供給する流体発電装置の制御装置において、
前記流体の流速および前記翼車の回転速度から前記翼車の翼車トルクを求める翼車トルク・回転速度関数群を用いて現時点の流速に合致する翼車トルク・回転速度関数を求める第１ステップと、前記翼車トルク・回転速度関数を用いて前記翼車の出力が最大となる第１回転速度とそのときの最大出力値を求める第２ステップと、前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、前記目標回転速度と前記目標トルクとから目標誘起電圧定数を求める第４ステップと、前記発電機の誘起電圧定数と前記励磁電流の関係を示す誘起電圧定数・励磁電流関数を用いて前記目標誘起電圧定数に対応する目標励磁電流を求める第５ステップと、前記目標励磁電流を前記励磁巻線に印加して前記発電機に目標逆トルクを発生させるプロセスと、を行うことを特徴とする流体発電装置の制御装置。
【発明の詳細な説明】
【技術分野】
【０００１】
本発明は、風車や水車などの翼車とそれに連結した界磁可変型の発電機で発電する流体発電システム、その制御方法、および、その制御装置に関する。
【背景技術】
【０００２】
風力発電システムなどにおいて、発電機として巻線型誘導発電機や永久磁石同期発電機が用いられている。しかしながら、巻線型誘導発電機を用いたシステムでは、ブラシとスリップリングおよび増速機に起因する不具合が生じる場合がある。また永久磁石同期発電機を用いた発電システムでは、永久磁石に起因する不具合が生じる場合がある。
【０００３】
これらの不具合に対処するため、界磁可変型の発電機を用いる場合がある。特許文献１には、風力発電において、風車出力が最大となるように励磁電流を制御する方法が開示されている。特許文献２には、発電電力が最大発電量を超える場合に励磁電流を制御する方法が開示されている。
【先行技術文献】
【特許文献】
【０００４】
【特許文献１】特開２０１７−９３２７４号公報
【特許文献２】特開２００９−２４０１６０号公報
【発明の概要】
【発明が解決しようとする課題】
【０００５】
界磁可変型の発電機を用いる風力発電システムにおいて、風車出力が最大となるように直流励磁電流を回転速度の平方根に比例して制御する方法がある。しかし、これは最大出力の風車トルク特性が、（定数）×（回転速度）２であること、および、当該（定数）が風速に依らず一定であることを前提としている。このような風車のトルク特性は特異的であり、それとは異なる特性を持つ種々の風車に一般化することはできない。また、負荷の変動を考慮していないため、負荷変動があるシステムには適用できない。
【０００６】
界磁可変型の発電機を用いる発電システムにおいて、発電電力が最大発電電力を超える場合に励磁電流を抑制して発電機の出力電力を抑制する方法がある。この方法は、最大発電電力を定格出力として、定格出力を超える風速では弱め界磁で制御する。しかし、風車のトルク特性によっては、定格出力を超える風速において強め界磁によって定格出力になる解も存在するため、その場合の制御には適用できない。
【０００７】
そこで、本発明は、風車や水車などの翼車と界磁可変型の発電機とを用いる流体発電システムにおいて、種々の翼車特性に対して、負荷変動がある場合でも、翼車出力が定格出力以下の流速から定格出力を超える流速まで統一的に制御できるようにすることを目的とする。
【課題を解決するための手段】
【０００８】
上述の目的を達成するため、本発明は、流体によって回転する翼車と前記翼車に軸が連結されて励磁巻線に印加する励磁電流の値によって逆トルクの値が定まる発電機とを備えて前記発電機の発電電力を負荷に供給する流体発電システムの制御方法において、前記流体の流速および前記翼車の回転速度から前記翼車の翼車トルクを求める翼車トルク・回転速度関数群を用いて現時点の流速に合致する翼車トルク・回転速度関数求める第１ステップと、前記翼車トルク・回転速度関数を用いて前記翼車の出力が最大となる第１回転速度とそのときの最大出力値を求める第２ステップと、前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、前記目標回転速度と前記目標トルクとから目標誘起電圧定数を求める第４ステップと、前記発電機の誘起電圧定数と前記励磁電流の関係を示す誘起電圧定数・励磁電流関数を用いて前記目標誘起電圧定数に対応する目標励磁電流を求める第５ステップと、前記目標励磁電流を前記励磁巻線に印加して前記発電機に目標逆トルクを発生させるプロセスと、を有することを特徴とする。
【０００９】
また、本発明は、流体によって発電して発電電力を負荷に供給する流体発電システムにおいて、流体によって回転する翼車と、前記翼車に軸が連結されて励磁巻線に印加する励磁電流の値によって逆トルクの値が定まる発電機と、前記流体の流速および前記翼車の回転速度から前記翼車の翼車トルクを求める翼車トルク・回転速度関数群を用いて現時点の流速に合致する翼車トルク・回転速度関数を求める第１ステップと、前記翼車トルク・回転速度関数を用いて前記翼車の出力が最大となる第１回転速度とそのときの最大出力値を求める第２ステップと、前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、前記目標回転速度と前記目標トルクとから目標誘起電圧定数を求める第４ステップと、前記発電機の誘起電圧定数と前記励磁電流の関係を示す誘起電圧定数・励磁電流関数を用いて前記目標誘起電圧定数に対応する目標励磁電流を求める第５ステップと、前記目標励磁電流を前記励磁巻線に印加して前記発電機に目標逆トルクを発生させるプロセスと、を行う制御装置と、を有することを特徴とする。
【００１０】
また、本発明は、流体によって回転する翼車と、前記翼車に軸が連結されて励磁巻線に印加する励磁電流の値によって逆トルクの値が定まる発電機と、を備えて発電電力を負荷に供給する流体発電装置の制御装置において、前記流体の流速および前記翼車の回転速度から前記翼車の翼車トルクを求める翼車トルク・回転速度関数群を用いて現時点の流速に合致する翼車トルク・回転速度関数を求める第１ステップと、前記翼車トルク・回転速度関数を用いて前記翼車の出力が最大となる第１回転速度とそのときの最大出力値を求める第２ステップと、前記最大出力値が定格出力値以下の場合は、前記翼車の目標回転速度を前記第１回転速度とし、前記翼車の目標トルクを前記最大出力値を前記目標回転速度で除した値とし、前記最大出力値が定格出力値を超える場合は、前記翼車トルク・回転速度関数を用いて前記翼車の出力が定格出力値となる第２の回転速度を求めて目標回転速度を前記第２の回転速度とし、目標トルクを定格出力値を前記目標回転速度で除した値とする第３ステップと、前記目標回転速度と前記目標トルクとから目標誘起電圧定数を求める第４ステップと、前記発電機の誘起電圧定数と前記励磁電流の関係を示す誘起電圧定数・励磁電流関数を用いて前記目標誘起電圧定数に対応する目標励磁電流を求める第５ステップと、前記目標励磁電流を前記励磁巻線に印加して前記発電機に目標逆トルクを発生させるプロセスと、を行うことを特徴とする。
【発明の効果】
【００１１】
本発明によれば、風車や水車などの翼車と界磁可変型の発電機とを用いる流体発電システムにおいて、種々の翼車特性に対して、負荷変動がある場合でも、翼車出力が定格出力以下の流速から定格出力を超える流速まで統一的に制御できる。
【図面の簡単な説明】
【００１２】
【図１】本発明に係る風力発電システムの第１の実施の形態のブロック図である。
【図２】本発明に係る風力発電システムの第１の実施の形態における発電機の一部の横断面図である。
【図３】本発明に係る風力発電システムの第１の実施の形態における発電機の動作概念図である。
【図４】本発明に係る風力発電システムの第１の実施の形態における誘導起電力と回転速度の関係を示すグラフである。
【図５】本発明に係る風力発電システムの第１の実施の形態における誘起電圧定数と励磁電流の関係を示すグラフである。
【図６】本発明に係る風力発電システムの第１の実施の形態における翼車トルク特性を示すグラフである。
【図７】本発明に係る風力発電システムの第１の実施の形態における制御装置６の演算フロー図である。
【図８】本発明に係る風力発電システムの第１の実施の形態において所定の回転速度とトルクになる点を持つ翼車トルク特性の例を示すグラフである。
【図９】本発明に係る風力発電システムの第１の実施の形態において所定の回転速度とトルクになる点を持つ翼車トルク特性の他の例を示すグラフである。
【図１０】本発明に係る風力発電システムの第１の実施の形態において翼車出力特性の例を示すグラフである。
【図１１】本発明に係る風力発電システムの第１の実施の形態において翼車トルク特性上で制御目標点の例を示すグラフである。
【図１２】本発明に係る風力発電システムの第１の実施の形態において翼車出力特性を示す他の例のグラフである。
【図１３】本発明に係る風力発電システムの第１の実施の形態の翼車トルク特性において制御目標点の他の例を示すグラフである。
【図１４】本発明に係る風力発電システムの第２の実施の形態の翼車トルク特性を示すグラフである。
【図１５】本発明に係る風力発電システムの第２の実施の形態の翼車出力トルク特性上で制御目標点の例を示すグラフである。
【図１６】本発明に係る風力発電システムの第２の実施の形態の翼車出力トルク特性において制御目標点の他の例を示すグラフである。
【図１７】本発明に係る風力発電システムの第３の実施の形態の翼車トルク特性を示すグラフである。
【発明を実施するための形態】
【００１３】
本発明に係る風力発電システムのいくつかの実施の形態を、図面を参照して説明する。なお、この実施の形態は単なる例示であり、本発明はこれに限定されない。同一または類似の構成には同一の符号を付し、重複する説明は省略する。
【００１４】
［第１の実施の形態］
図１は、本発明に係る風力発電システムの第１の実施の形態のブロック図である。
【００１５】
本実施の形態の風力発電システムは、翼車１と発電機３と励磁装置５と制御装置６と回転速度計７と電流計８とを有している。翼車１の軸２は、発電機３の回転軸に直結されている。発電機３の発電電力は、負荷４に供給される。
【００１６】
発電機３の励磁巻線には、励磁装置５により交流励磁電流が印加される。励磁装置５は、たとえばインバータである。
【００１７】
制御装置６は、励磁電流を決定する。制御装置６は、データ記憶部６１と演算処理部６２を備えている。回転速度計７は、発電機３の回転子の回転速度を計測する。回転速度計７は、制御装置６に対して計測した回転速度値を出力する。電流計８は、発電機３の電機子巻線に流れる電流を計測する。電流計８は、制御装置６に対して計測した電流値を出力する。制御装置６は、決定した励磁電流実効値を励磁装置５に指令値として与える。
【００１８】
図２は、本実施の形態における発電機の一部の横断面図である。
【００１９】
本実施の形態では、３相・４極で毎極毎相のスロット数が３の分布全節巻の場合を例として示すが、これに限定されない。
【００２０】
回転軸３１は、翼車１の軸２と直結される。回転子３２には４つの突極３２１が形成されている。各々の突極３２１には、界磁巻線３２２が捲回されている。
【００２１】
固定子３３には、複数のスロット３３１が設けられている。スロット３３１は、右上サブスロット３３１１、右下サブスロット３３１２、左上サブスロット３３１３、左下サブスロット３３１４の４つの領域に分かれている。固定子３３には電機子巻線３３２と励磁巻線３３３が捲回されている。スロット３３１の右側サブスロット（右上サブスロット３３１１および右下サブスロット３３１２）は、電機子巻線に対応している。左側サブスロット（左上サブスロット３３１３および左下サブスロット３３１４）は、励磁巻線に対応している。スロット３３１は３個を組にしている。３個のスロット３３１で構成される組は、Ｕ相、Ｖ相、Ｗ相のいずれかに対応している。Ｕ相、Ｖ相、Ｗ相に対応するスロット３の組は、周方向に順番に配列されている。
【００２２】
電機子巻線３３２は、たとえばＵ相Ｕ１の右上サブスロット３３１１から上方に抜け、呼応する−Ｕ相Ｕ１の右下サブスロット３３１２を通って下方に抜けている。励磁巻線３３３は、たとえばＵ相Ｕ２の左上サブスロット３３１３から上方に抜け、呼応する−Ｕ相Ｕ２の左下サブスロット３３１４を通って下方に抜けている。
【００２３】
図３は、本実施の形態における発電機の動作の概念図である。
【００２４】
回転子３２の界磁巻線３２２の各極の巻線の両端子又は４極の巻線を直列に接続した巻線の両端子にはダイオード３２３が接続されている。
【００２５】
固定子３３の励磁巻線３３３には、次式で与えられる励磁電流が流される。
【００２６】
ｉａ＝Ｉｆ（ｔ）ｃｏｓθ
ｉｂ＝Ｉｆ（ｔ）ｃｏｓ（θ−２π／３）
ｉｃ＝Ｉｆ（ｔ）ｃｏｓ（θ−４π／３）
θ＝ωｔ
ここで、Ｉｆ（ｔ）は、時間変化する電流ある。図３の例において、Ｉｆ（ｔ）は三角波であり、その実効値はＩfである。θは、回転子３２の回転角度である。回転子３２の回転角度は、図示しない角度検出センサにより検出されている。なお、回転速度計７を、回転角度を計測してそれを時間微分することで回転速度を求める形式の回転速度計にすれば、当該回転速度計で回転子３２の回転角度を検出することもできる。その結果、固定子３３の励磁巻線３３３に流れる励磁電流は、回転子３２の回転角度と同期している。この場合、回転子３２が作る界磁鎖交磁束Φの向きは、図３におけるＡ矢印の方向となる。界磁巻線３２２に接続したダイオード３２３の働きにより、回転子３２が作る界磁鎖交磁束Φの向きは時間に対してほぼ一定の値となり、回転子３２が作る界磁鎖交磁束Φの大きさはＩf（ｔ）の実効値Ｉfに比例する。したがって、発電機３は、界磁ΦをＩfで制御できる同期発電機となる。
【００２７】
この発電機３を直流機近似すると、次の式が成り立つ。
【００２８】
Ｅa＝ＫＧω
＝（Ｒ＋ｒa）Ia
ＴＧ＝ＫＧＩa
＝（ＫＧ２／（Ｒ＋ｒa））ω
Ｅa：誘導起電力
ＫＧ：誘起電圧定数
ω：回転速度（回転角速度）
Ｒ：抵抗負荷
ｒa：電機子巻線抵抗
Ｉa：電機子電流
ＴＧ：発電機逆トルク
図４は、本実施の形態における誘導起電力Ｅaと回転速度ωの関係を示すグラフである。図４の横軸は回転速度、縦軸は誘導起電力である。
【００２９】
図４に示すように、誘導起電力Ｅａは回転速度ωに対してほぼ直線状に増加し、この勾配が誘起電圧定数ＫＧである。誘導起電力Ｅａの勾配は、励磁電流実効値Ｉｆによって変化し、励磁電流実効値Ｉfが大きいほど勾配が急になる。
【００３０】
図５は、本実施の形態における誘起電圧定数ＫＧと励磁電流実効値Ｉｆの関係を示すグラフである。図５の横軸は励磁電流実効値、縦軸は誘起電圧定数である。
【００３１】
励磁電流実効値Ｉｆが小さい領域では、誘起電圧定数ＫＧは励磁電流実効値Ｉｆにほぼ比例して増加する。誘起電圧定数ＫＧは、励磁電流実効値Ｉｆが大きくなると、発電機３の磁気飽和により逓減する。誘起電圧定数ＫＧは、限界励磁電流ＩｆＬでＫＧＬとなった後は、それ以上増加しなくなる。この誘起電圧定数ＫＧと励磁電流実効値Ｉｆの関係を、誘起電圧定数・励磁電流関数と呼ぶこととする。誘起電圧定数ＫＧが励磁電流実効値Ｉｆに比例する領域でしか風力発電システムを使用しない場合には、当該比例定数を持つ比例式が誘起電圧定数・励磁電流関数となる。
【００３２】
図６は、本実施の形態における翼車トルク特性を示すグラフである。図６の横軸は回転速度ω、縦軸は翼車トルクＴＷである。
【００３３】
翼車トルクは、回転速度がゼロから回転速度の上昇とともに徐々に上昇する。翼車トルクは、回転速度ωｐにおいて最大点ｐとなり、回転速度ω０でゼロとなる。翼車トルク特性は、風速によって変化する。風速νが大きくなるに従って、翼車トルク特性の最大点ｐおよびそのときの回転速度ωｐは大きくなる。また、風速νが大きくなるに従って、翼車トルクがゼロとなる回転速度ω０も大きくなる。この翼車トルク特性を、翼車を製作した後の風洞実験にて、いくつかの風速について測定し、記録する。この特性を翼車トルク・回転速度関数と呼ぶことにし、それを複数の風速に応じて記憶して翼車トルク・回転速度関数群と呼ぶことにする。翼車トルク・回転速度関数は、たとえば、所定の風速に応じた曲線を多項式近似した関係式とすることができる。
【００３４】
誘起電圧定数・励磁電流関数、および翼車トルク・回転速度関数群は、データ記憶部６１に記憶される。
【００３５】
次に、本実施の形態の風力発電システムの制御方法を説明する。
【００３６】
図７は、本実施の形態における制御装置６の演算フロー図である。
【００３７】
第１ステップでは、翼車トルク特性Ｔｗを特定する。別途設置する風速計で風速を計測することができる場合は、計測した現時点の風速と合致する風速の翼車トルク・回転速度関数を翼車トルク・回転速度関数群から選択する（Ｓ１）。
【００３８】
しかし、一般に風速は翼車の上方部と下方部で異なること、また翼車の羽根による乱流の影響により、翼車近傍に設置した風速計では実効風速を正確に測定することができないことが多い。そこで、発電機の逆トルクと翼車トルクが釣り合いの関係にあることから、現時点の回転速度ωｃと発電機の逆トルクＴＧｃから、以下のようにして風速を推定してもよい。
【００３９】
現時点の発電機逆トルクＴＧｃは、次式で表される。
【００４０】
ＴＧｃ＝（ＫＧｃ２／（Ｒｃ＋ｒa））×ωｃ
ωｃ：現時点の回転速度
ＫＧｃ：現時点の誘起電圧定数
Ｒｃ：現時点の負荷抵抗
ｒa：電機子巻線抵抗
ＫＧｃは既知であり、電機子巻線抵抗ｒaは変化せず、また現時点の負荷抵抗Ｒｃに変動がなければ、初期状態において既知の値とすることができるので、ＴＧｃはωｃによって決まる。現時点の回転速度ωｃは、回転速度計７にて計測する。
【００４１】
負荷変動がある場合には、電流計８にて計測した現時点の電機子電流Ｉａｃと現時点の誘起電圧定数ＫＧｃから以下の式で発電機逆トルクＴＧｃを求める。
【００４２】
ＴＧｃ＝ＫＧｃ×Ｉａｃ
つまり、負荷変動がない場合には、現時点での回転速度ωｃを回転速度計７にて計測し（Ｓ２）、その回転速度から発電機逆トルクＴＧｃを求める（Ｓ４）。負荷変動がある場合には、現時点での電機子電流Ｉａｃを電流計８にて計測し（Ｓ３）、その電機子電流Ｉａｃから発電機逆トルクＴＧｃを求める（Ｓ４）。
【００４３】
図８は、本実施の形態において所定の回転速度とトルクになる点を持つ翼車トルク・回転速度関数を示すグラフである。
【００４４】
図８に示すように、回転速度ωｃにおいて翼車トルクＴＷｃ＝ＴＧｃ＝Ｔｃとなる点を通る翼車トルク特性として、風速ν１が推定され、現時点の翼車トルク・回転速度関数が特定される（Ｓ５）。
【００４５】
図９は、本実施の形態において所定の回転速度とトルクになる点を持つ翼車トルク・回転速度関数の他の例を示すグラフである。
【００４６】
図９は、風速に応じたデータが離散的であるために一致する点が無い場合の例である。所定のωｃ、Ｔｃを通る破線で示す翼車トルク曲線を、風速ν１と風速ν２の翼車トルク曲線から補間演算によって求めてもよい。
【００４７】
第２ステップでは、翼車の出力特性を求める。
【００４８】
図１０は、本実施の形態において翼車出力特性の例を示すグラフである。図１０の横軸は回転速度ω、縦軸は翼車出力ＰＷである。
【００４９】
翼車出力ＰＷ＝翼車トルクＴＷ×回転速度ωであるため、翼車出力特性は、図１０のような曲線となる。回転速度がゼロ、および、翼車トルクがゼロとなる回転速度ω０において翼車出力ＰＷはゼロとなり、回転速度ωｍにおいて最大値ＰＷｍとなる。このωｍは翼車トルクが最大となる回転速度ωｐよりも大きい。
【００５０】
つまり、翼車出力特性Ｐｗを翼車トルクＴＷおよび回転速度ωから求め（Ｓ６）、その翼車出力特性Ｐｗから翼車出力が最大となる回転速度ωｍおよびそのときの最大値ＰＷｍを求める（Ｓ７）。
【００５１】
第３ステップでは、制御目標回転速度および制御目標トルクを求める。
【００５２】
図１１は、本実施の形態において翼車トルク・回転速度関数上で制御目標点の例を示すグラフである。
【００５３】
翼車出力最大値ＰＷｍが定格出力以下か否かを判定し（Ｓ８）、翼車出力最大値ＰＷｍが定格出力以下ならば、制御目標をこの点にする（Ｓ９）。すなわち目標回転速度ωｔ＝ωｍとし、これに対応する目標トルクＴｔ＝ＰＷｍ／ωｔとする。これは図１１の翼車トルク・回転速度関数において、回転速度ωｔに対応するＴｔであり、すなわち図１１における白丸（〇）で示す点が制御目標となる。
【００５４】
図１１の直線１は、この〇点を通る発電機の逆トルク特性であり、以下の式が成立する。
【００５５】
Ｔｔ＝（ＫＧｔ２／（Ｒｃ＋ｒa））×ωｔ
ＫＧｔ：目標誘起電圧定数
Ｒｃ：現時点の負荷抵抗
ｒa：電機子巻線抵抗
すなわち、図１１の直線１は、勾配が（ＫＧｔ２／（Ｒｃ＋ｒa））の直線となる。
【００５６】
電機子巻線抵抗ｒaが変化せず、また現時点の負荷抵抗Ｒｃに変動がなければ、両者とも初期状態において既知の値とすることができるので、ＫＧｔは上式で決まる（Ｓ１３）。
【００５７】
しかし、負荷変動がある場合には、（Ｒｃ＋ｒa）を、現時点の回転速度ωｃと現時点の電機子電流Ｉａｃにより、以下の式で求め、その値を用いて目標誘起電圧定数ＫＧｔを求める（Ｓ１３）。
【００５８】
（Ｒｃ＋ｒa）＝ＫＧｃ×ωｃ／Ｉａｃ
ＫＧｃ：現時点の誘起電圧定数
ωｃ：現時点の回転速度
Ｉａｃ：現時点の電機子電流
このようにして求めた目標誘起電圧定数ＫＧｔに対して、誘起電圧定数・励磁電流関数により、対応する目標励磁電流実効値Ｉｆtを求め（Ｓ１４）、励磁装置５への指令値とする。
【００５９】
図１１の直線２は、現時点の励磁電流による発電機の逆トルク特性であり、図中の黒丸（●）で示す点において翼車トルクと交差している。この状態から図中の白丸（○）で示す点と交差する直線１のように励磁電流を変化させることは、いわゆる強め界磁とすることである。図１１中矢印Ａの領域では、直線１の逆トルクが翼車トルクを上回っているため、翼車に制動力として作用し、回転速度を減少させ、矢印Ａ方向に漸近していく。図１１において白丸（○）で示す点より更に回転速度が減少すると、翼車トルクのほうが逆トルクを上回るため、翼車を加速して回転速度を上昇させ、結果的に白丸（○）で示す点に収束する。
【００６０】
次に翼車出力最大値ＰＷｍが定格出力ＰＷｒを超えた場合について説明する。
【００６１】
図１２は、本実施の形態において翼車出力特性を示す他の例のグラフである。図１３は、本実施の形態において翼車トルク・回転速度関数上で制御目標点の他の例を示すグラフである。
【００６２】
図１２の翼車出力において、白丸（○）で示す点が最大出力であり、それ以下の定格出力ＰＷｒとなる解は２つ存在する（Ｓ１０）。これらの解は、回転速度の小さいωｔ１における黒四角（■）で示す点と、回転速度の大きいωｔ２における白四角（□）で示す点である。目標回転速度をωｔ１とする場合の目標翼車トルクは、Ｔｔ１＝ＰＷｒ／ωｔ１である（Ｓ１１）。目標回転速度をωｔ２とする場合の目標翼車トルクは、Ｔｔ２＝ＰＷｒ／ωｔ２である（Ｓ１１）。これは図１３の翼車トルク・回転速度関数においては、ωｔ１に対応するＴｔ１の黒四角（■）で示す点を通る逆トルク直線１と、ωｔ２に対応するＴｔ２の白四角（□）で示す点を通る逆トルク直線２に相当する。
【００６３】
図１３の直線１は、界磁を強くして回転速度を抑制する解であり、風速が大きくなると勾配が大きくなるため、その限界値は発電機の限界励磁電流ＩｆＬにより決まるＫＧＬとなる。すなわち発電を止めるカットアウト風速は発電機の性能に依存する。
【００６４】
図１３の直線２は、界磁を弱くして回転速度を上昇させる解であり、風速が大きくなると回転速度が大きくなるため、その限界値は翼車の危険速度により決まる。すなわち発電を止めるカットアウト風速は翼車の性能に依存する。
【００６５】
カットアウト流速は、発電機の発電限界もしくは翼車の回転限界のいずれかにより規定されるため、発電機と翼車の性能に応じて、カットアウト流速がより高くなるほうを選択することで、より広範な風速に対応できる発電が可能となる。制御すべき逆トルク直線を選択（Ｓ１２）したら、目標誘起電圧定数ＫＧｔおよびそれに対応する目標励磁電流実効値Ｉｆｔを前述と同様に求める（Ｓ１３、Ｓ１４）。ステップ１からステップ５までの演算は、演算処理部６２によって行う。演算処理部６２によって求められた目標励磁電流実効値Ｉｆｔに基づいて、制御装置６は、励磁装置５を制御する。
【００６６】
本実施の形態によれば、負荷が変動した場合であっても、翼車の最大出力が定格出力以下である風速では翼車出力を最大とし、翼車の最大出力が定格出力を超える風速では翼車出力が定格出力となるように制御することができる。また、現時点の回転速度と発電機逆トルクから、現時点の風速を推定するため、風力計が不要であり、実効風速を高い精度で推定することができる。
【００６７】
［第２の実施の形態］
本発明に係る風力発電システムの第２の実施の形態は、翼車トルク・回転速度関数が第１の実施の形態と異なる。
【００６８】
図１４は、本発明に係る風力発電システムの第２の実施の形態における、ある風速ν１における翼車トルク・回転速度関数を示す。図１４の横軸は回転速度ω、縦軸は翼車トルクＴＷである。
【００６９】
本実施の形態において、翼車トルクは回転速度がゼロから回転速度の上昇とともに徐々に上昇するが、途中の回転速度ωｄに変曲点ｄがあり凹形状を成した後、回転速度ωｐにて最大点ｐとなり、その後、回転速度ω０でゼロとなる。
【００７０】
図１５は、本実施の形態における翼車トルク・回転速度関数上で制御目標点の例を示すグラフである。
【００７１】
図１５において、制御目標点は白丸（〇）で示す点、すなわち目標回転速度ωｔ、目標トルクＴｔであり、発電機の目標逆トルク直線は白丸（〇）点を通る直線１である。しかし、直線１は翼車トルク曲線と白丸（○）で示す点以外に回転速度ωｔ’の白三角（△）で示す点および回転速度ωｔ’’の黒三角（▲）で示す点とも交差している。
【００７２】
回転速度ωｔ’の白三角（△）で示す点は、それより大きい回転速度では翼車トルクが発電機の逆トルクを上回っているため、翼車が加速されて矢印Ｂのように回転速度ωｔの白丸（○）で示す点の方向に漸近していく。また、ωｔ’より小さい回転速度では発電機の逆トルクが翼車トルクを上回っているため、翼車が減速されて矢印Ｃのように回転速度ωｔ’’の黒三角（▲）で示す点の方向に漸近していく。したがって、白三角（△）で示す点は不安定点である。
【００７３】
回転速度ωｔ’’の黒三角（▲）で示す点は、その前後の回転速度において発電機の逆トルクと翼車トルクの関係が、黒三角（▲）で示す点に収束する方向に作用するため安定点である。しかしながら、回転速度と翼車トルクの積が小さいため、出力として不十分であり、目標とする解にはなり得ない。
【００７４】
現時点の回転速度ωｃが目標回転速度ωｔより大きい黒丸（●）で示す点であり、発電機の逆トルク特性が直線２であるとすれば、前述と同様に、この状態から図中の白丸（○）で示す点と交差する直線１のように励磁電流を強め界磁側に変化させることで、矢印Ａ方向に漸近させ、白丸（○）で示す点に収束させることができる。
【００７５】
しかし、現時点の回転速度が目標回転速度ωｔより小さい場合、特に黒三角（▲）で示す点の回転速度ωｔ’’より小さい場合には、翼車トルク曲線を辿っていく方向で○点に漸近させ収束させることができない。この場合には、一旦、励磁電流を減少する弱め界磁にして、制御点を目標回転速度ωｔよりも大きい回転速度にしてから上述の直線１の励磁電流になるように制御する。
【００７６】
図１６は、本実施の形態における翼車トルク・回転速度関数上で制御目標点の他の例を示すグラフである。
【００７７】
図１６は制御目標点候補が２つある場合、すなわち定格出力となる解が２つある場合を示す。回転速度の小さいωｔ１における黒四角（■）で示す点と、回転速度の大きいωｔ２における白四角（□）で示す点である。逆トルク直線は、ωｔ１に対応するＴｔ１の黒四角（■）で示す点を通る直線１と、ωｔ２に対応するＴｔ２の白四角（□）で示す点を通る直線２である。
【００７８】
回転速度ωｔ１の黒四角（■）で示す点は、それより大きい回転速度では翼車トルクが発電機の逆トルクを上回っているため、翼車が加速され回転速度が大きくなっていく。またそれより小さい回転速度では発電機の逆トルクが翼車トルクを上回っているため、翼車が減速され回転速度が小さくなっていく。したがって、黒四角（■）で示す点は不安定点である。一方、回転速度ωｔ２の白四角（□）で示す点は安定点であるため、この場合は、逆トルク直線２を選択することになる。
【００７９】
本実施の形態によれば、負荷が変動した場合であっても、翼車の最大出力が定格出力以下である風速では翼車出力を最大とし、翼車の最大出力が定格出力を超える風速では翼車出力が定格出力となるように制御することができる。また、制御の不安定点を避け、安定な制御が可能となる。
【００８０】
［第３の実施の形態］
本発明に係る風力発電システムの第３の実施の形態は、翼車トルク・回転速度関数が第１および第２の実施の形態と異なる。
【００８１】
図１７は、本発明に係る風力発電システムの第３の実施の形態における翼車トルク・回転速度関数を示すグラフである。図１７において、図の横軸は回転速度ω、縦軸は翼車トルクＴＷである。
【００８２】
翼車トルクは回転速度がゼロのときに最大値となり、回転速度が大きくなると減少し、回転速度ω０でゼロとなる。図１７は、この特性を直線近似したものである。風速νが大きくなるに従って、回転速度がゼロのときの最大値が大きくなり、また翼車トルクがゼロとなる回転速度ω０も大きくなる。
【００８３】
翼車トルク特性を以下のように直線近似する。
【００８４】
ＴＷ＝Ｋｎ（ω−ω０ｎ）
ＴＷ：翼車トルク
Ｋｎ：近似直線の勾配（負値）
Ｋ１：風速ν１、Ｋ２：風速ν２、Ｋ3：風速ν3、・・・ に対応
ω：回転速度
ω０ｎ：翼車トルクがゼロとなる回転速度
ω０１：風速ν１、ω０２：風速ν２、ω０３：風速ν3、・・・ に対応
第１の実施の形態と同様に、現時点の回転速度ωｃと発電機の逆トルクＴＧｃから、風速を推定し、当該風速νｎにおける現時点の翼車トルク直線ＴＷが決まる。
【００８５】
この場合、翼車出力ＰＷは、
ＰＷ＝Ｋｎ (ω−ω０ｎ)×ω
となり、回転速度ω＝ω０ｎ／２のときに翼車出力最大値ＰＷｍとなる。
【００８６】
翼車出力最大値ＰＷｍを制御目標点にする場合は、目標回転速度ωｔ＝ω０ｎ／２、目標翼車トルクＴｃ＝−Ｋｎ×ω０ｎ／２となる。目標誘起電圧定数ＫＧｔおよびそれに対応する目標励磁電流実効値Ｉｆｔは第１の実施例と同様に求める。
【００８７】
翼車出力最大値が定格出力を超えた場合に、定格出力ＰＷｒとなる目標回転速度ωｔは、
ωｔ＝ω０ｎ±（ω０ｎ２−４ＰＷｒ/Ｋｎ）１／２／２
となり、回転速度の小さいωｔ１と回転速度の大きいωｔ２の２つの解が存在する。どちらの解も安定点であるため、第１の実施例と同様に、発電機と翼車の性能に応じていずれかの解を選択する。
【００８８】
本実施の形態によれば、負荷が変動した場合であっても、翼車の最大出力が定格出力以下である風速では翼車出力を最大とし、翼車の最大出力が定格出力を超える風速では翼車出力が定格出力となるように制御することができる。また、翼車特性を記憶する記憶容量を削減し、制御目標点を求める演算を簡素化することができる。
【００８９】
［その他の実施の形態］
上述の各実施の形態は、風力発電システムを例として説明したが、本発明はこれに限定されない。たとえば、干潮時、満潮時に海流の流速が変化する潮力発電システムにも好適である。
【符号の説明】
【００９０】
１…翼車、２…軸、３…発電機、４…負荷、５…励磁装置、６…制御装置、７…回転速度計、８…電流計、３２…回転子、３３…固定子、３２１…突極、３２２…界磁巻線、３２３…ダイオード、３３１…スロット、３３２…電機子巻線、３３３…励磁巻線、３３１１…右上サブスロット、３３１２…右下サブスロット、３３１３…左上サブスロット、３３１４…左下サブスロット
【図１】
2019193489.tif 000003
【図２】
2019193489.tif 000004
【図３】
2019193489.tif 000005
【図４】
2019193489.tif 000006
【図５】
2019193489.tif 000007
【図６】
2019193489.tif 000008
【図７】
2019193489.tif 000009
【図８】
2019193489.tif 000010
【図９】
2019193489.tif 000011
【図１０】
2019193489.tif 000012
【図１１】
2019193489.tif 000013
【図１２】
2019193489.tif 000014
【図１３】
2019193489.tif 000015
【図１４】
2019193489.tif 000016
【図１５】
2019193489.tif 000017
【図１６】
2019193489.tif 000018
【図１７】
2019193489.tif 000019